【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  第一部材と第二部材、連結部材及び絶縁材料を包含する建築部材であって、
間隔を隔てた前記第一部材と第二部材の各々が、高さと幅によって画定される一対の端面、長さと厚さによって画定される一対の縁部及び長さと高さによって画定される一対の側面を有し、前記部材の少なくとも一つは、各々のボード対して厚さが高さより小さく、高さが長さより小さいボードを具備し、第一部材の側面と第二部材の側面とは、向き合いそして絶縁空間によって間隔を隔てられていて、
前記連結部材の少なくとも一つ、すなわち各々の前記連結部材が、前記第一部材と第二部材の向き合う側面の間を橋絡し、前記第一部材と第二部材の向き合う側面の間のほぼ全長に伸びており、前記連結部材の一方の縁部は、向き合う側面の一方の長手部内の及び長手方向に延びる溝内で固定され、別の縁部は、間隔を隔てて配置する部材を保持し固定するために、向き合う他方の側面に堅固に接続されていて、
前記第一部材及び第二部材の各々が、木製ボードを具備し、各々のボードは、隣接する同様のボード又は隣接する同様の建築部材の一つの縁部と別の縁部との接続を容易にするように形成された縁部面を持っており、
前記建築部材は、絶縁空間で間隔を隔てられた二つの平行な前記連結部材を有し、前記連結部材の縁部は、各々の側面内の１対の平行な溝内に固定され、前記連結部材と前記ボードとは、長手のキャビティを画定していて、
前記絶縁材料が、前記長手のキャビティの中に配置されている、
第一部材と第二部材、連結部材及び絶縁材料を包含する建築部材。
【請求項２】  前記第一ボード及び第二ボードの向き合う側面が、ほとんど装飾されていない請求項1に記載の建築部材。
【請求項３】  前記連結部材が剛性材料の細片から出来ていて、前記連結部材の縁部は、前記第一ボード及び第二ボードの向き合う面の溝内に嵌入するために少なくとも最初に圧縮され、次いで拡張して前記溝内で係合する請求項1又は2に記載の建築部材。
【請求項４】  一対のボードと少なくとも一つの連結部材とから建築部材を組み立てる組立方法であって、各々のボードが、前記連結部材の少なくとも一つの縁部に適用するために、前記ボードの表面上で長手方向に延びる少なくとも一対の平行溝を組込んでいる組立方法において、
（ａ）特定の順序無しに、
（ｉ）各ボードの対応する前記溝の中に、木が吸収可能な液体を塗布する段階と、
（ii）前記溝内に挿入すべき前記連結部材の少なくとも縁部領域を、長手方向に沿って圧縮する段階と、
（ｂ）前記木が吸収可能な液体の存在により、前記圧縮された縁部が膨張して前記溝内に確実に設置することを助長するように、前記連結部材の縁部を対応する前溝内に挿入する段階と、
（ｃ）前記ボードと少なくとも二つの平行な隙間を持つ連結部材との間に画定する隙間に、絶縁材料のブロックを挿入する段階と、
を包含することを特徴とする組立方法。
【請求項５】  前記木材の吸収可能な液体が 、液体接着剤を含む請求項4に記載の建築部材を組み立てる組立方法。
【請求項６】  請求項1から3のいずれか一項に記載の建築部材、すなわち建築部材の各々から壁を組み立てる組立方法であって、組立方法が、隣接する建築部材の第一及び第二のボードの対応する向かい合った縁部面と係合させる第一及び第二のボードの縁部面で、縁部と縁部を合わせた配置で複数の前記建築部材を積み重ねる段階と、更に前記建築部材を積み重ねる前に、最上部の連結部材の頂上部で、前記第一及び第二のボードの間に形成された溝内に、絶縁材料のブロックを設置する段階と、下側の連結部材に到達するか又はほぼ到達するために、上側に隣接する建築部材の第一及び第二のボードとの間の溝内に出っ張るように、第一及び第二のボードの上側縁部の高さより上に伸ばして絶縁材料のブロックを設置する段階と、を包含することを特徴とする建設部材から壁を組立てる組立方法。
【手続補正２】
【補正対象書類名】明細書
【補正対象項目名】０００７
【補正方法】変更
【補正の内容】
【０００７】
第一の見地では、本発明は、間隔を隔てて配置された第一の部材と第二の部材とを具備する建築部材において、前記第一の部材及び前記第二の部材のそれぞれが、高さ及び幅により画定された一対の端面と、長さ及び厚さにより画定された一対の縁部と、長さ及び高さにより画定された一対の側面とを具備し、前記第一の部材及び前記第二の部材の少なくとも一方がボードを具備し、第一の部材の側面と第二の部材の側面とが向かい合わされると共に絶縁空間により間隔を隔てられ、更に
向かい合った前記第一の部材の側面と前記第二の部材の側面との間を橋絡すると共に、前記第一の部材の側面と前記第二の部材の側面との間のほぼ全長にわたって延びている少なくとも一つの連結部材を具備し、前記連結部材の一方の縁部が、向かい合った前記第一の部材の側面及び前記第二の部材の側面のうちの一方の長手部内に形成されて延びている溝内で結合され、前記連結部材の他方の縁部が、向かい合った前記第一の部材の側面及び前記第二の部材の側面のうちの他方に確実に連結され、前記第一の部材と前記第二の部材とが間隔を隔てた状態で結合されて維持される、建築部材にある。
【手続補正３】
【補正対象書類名】明細書
【補正対象項目名】０００８
【補正方法】変更
【補正の内容】
【０００８】
第二の見地では、本発明は、第一のボードと第二のボードとを具備する建築部材において、前記第一のボード及び前記第二のボードのそれぞれが、高さ及び幅により画定された一対の端面と四つの長手方向の面とを有し、前記四つの長手方向の面のそれぞれは長さ及び厚さにより、又は長さ及び高さにより画定され、前記第一のボードの長手方向の面と前記第二のボードの長手方向の面とは向かい合わせられると共に隣接せしめられ、少なくとも一つの連結部材が、向かい合った第一のボードの長手方向の面と第二のボードの長手方向の面との間で橋絡せしめられると共に、向かい合った第一のボードの長手方向の面と第二のボードの長手方向の面との間のほぼ全長にわたって延びており、前記連結部材の対向縁部が、向かい合った長手方向の面の長手部内に延びている溝内で結合され、前記ボードが接着剤にかかわりなく隣接した状態で結合して維持される建築部材にある。
【手続補正４】
【補正対象書類名】明細書
【補正対象項目名】００１０
【補正方法】変更
【補正の内容】
【００１０】
第四の見地では、本発明は、一対のボードと少なくとも一つの連結部材とから建築部材を組み立てる組立方法であって、前記ボードが前記少なくとも一つの連結部材の縁部を収容するために前記ボードの面上に溝を有する方法において、木が吸収可能な液体を各ボードの対応する溝内に塗布する工程と、前記溝内に挿入すべき連結部材の長手方向に沿って前記連結部材の少なくとも縁部領域を圧縮する工程と、圧縮された縁部の膨張が、前記木が吸収可能な液体により助長されると共に前記圧縮された縁部が前記溝内に確実に配置せしめられるように、前記連結部材の縁部を対応する溝内に挿入する工程とを含むことを特徴とする組立方法にある。
【手続補正５】
【補正対象書類名】明細書
【補正対象項目名】００４４
【補正方法】変更
【補正の内容】
【００４４】
当然ながら他の方法も可能であり、例えば壁は、水平ではなく、１連の平行で垂直に配置された建築部材により構成可能である。